(57)【要約】【課題】果実への収穫間際の降雨を回避し、風の逃げ道を設けて強風によるハウスの吹き飛びを防止する。【解決手段】天井シート部２を中心とし、開閉シート３を具備した窓シート部４、雨除けシート部５、空気導入シート部６を左右対称になるように横方向に一体的に連設し、１列の果樹群を包み込み可能な面積を有する平視矩形状を呈するように形成されている。天井シート部２、開閉シート３及び雨除けシート部５は通気性及び雨除け機能を有するシートよりなる。窓シート部４と空気導入シート部６は通水性及び天井シート部２よりは通気性の高いシートよりなる。開閉シート３は窓シート部４の全面を被覆可能に設けている。【選択図】図１
2011229517.tif 000002
【特許請求の範囲】
【請求項１】
収穫間際の果実を雨害、鳥害から守るために列状に栽培された果樹群をひとまとめにして内側に配設して覆うと共に、収穫間際の果実を虫害から守るために地表面とシートの間に隙間を有しないようにシートの左右両端部所定横幅分が接地し地表面を覆って１列の果樹群全体を被覆可能な大きさを有する果樹覆いシートにおいて、
天井シート部を中心とし、左右両側には開閉シートを具備した窓シート部と、雨除けシート部と、空気導入シート部を略左右対称に区画配設され、
前記天井シート部、前記窓シート部、前記雨除けシート部及び前記空気導入シート部は夫々所定横幅を有し前後方向に延びる同幅帯状に形成され、
前記天井シート部は１列の果樹群の頂部を被覆可能な所定横幅を有した通気性及び雨除け機能を具備するシートよりなり、
前記窓シート部は通水性及び前記天井シート部よりは高通気性機能を具備するシートよりなり、１列の果樹群に果樹覆いシートを被覆取着した場合に果樹の上部左右側方に位置するよう設けられ、前記窓シート部の前記天井シート部側から前記窓シート部全面を被覆可能に前記天井シート部の左右両端縁に開閉シートを取り付け、該開閉シートは通気性及び雨除け機能を具備するシートよりなり、
前記雨除けシート部は通気性及び雨除け機能を具備するシートよりなり、１列の果樹群に果樹覆いシートを被覆取着した場合に果樹側方に於いて果実の生っている範囲を覆うことが可能な横幅を有し、
前記空気導入シート部は通水性及び前記天井シート部よりは高通気性機能を具備するシートよりなり、１列の果樹群に果樹覆いシートを被覆取着した場合に果実の生っていない部分に対応する位置からシートの左右両端縁に亘り配設され、
前記空気導入シート部から果樹覆いシートの内側に入り込み上昇した空気が、前記窓シート部の内側から開閉シートを開き、前記窓シート部から外部に排気されるようにしたことを特徴とする果樹覆いシート。
【請求項２】
収穫間際の果実を雨害、鳥害から守るために列状に栽培された果樹群をひとまとめにして内側に配設して覆うと共に、収穫間際の果実を虫害から守るために地表面とシートの間に隙間を有しないようにシートの左右両端部所定横幅分が接地し地表面を覆って１列の果樹群全体を被覆可能な大きさを有する果樹覆いシートにおいて、
天井シート部を中心とし、左右両側には雨除けシート部と、空気導入シート部を略左右対称に区画配設され、
前記天井シート部、前記雨除けシート部及び前記空気導入シート部は夫々所定横幅を有し前後方向に延びる同幅帯状に形成され、
前記天井シート部は１列の果樹群の頂部を被覆可能な所定横幅を有した通気性及び雨除は機能を具備するシートよりなり、
前記雨除けシート部は通気性及び雨除け機能を具備するシートよりなり、１列の果樹群に果樹覆いシートを被覆取着した場合に果樹の側方に於いて果実の生っている範囲を覆うことが可能な横幅を有し、雨除けシート部のうち前記天井シート部側には通水性及び前記天井シート部よりは高通気性機能を具備する窓シート部が前後方向に所定間隔離隔して設けられ、前記窓シート部の前記天井シート部側から前記窓シート部全面を被覆可能に前記天井シート部の左右両端縁に開閉シートが取り付けられ、該開閉シートは通気性及び雨除け機能を具備するシートよりなり、
前記空気導入シート部は通水性及び前記天井シート部よりは高通気性機能を具備するシートよりなり、１列の果樹群に果樹覆いシートを被覆取着した場合に果実の生っていない部分に対応する位置からシートの左右両端縁に亘り配設され、
前記空気導入シート部から果樹覆いシートの内側に入り込み上昇した空気が、前記窓シート部の内側から開閉シートを開き、前記窓シート部から外部に排気されるようにしたことを特徴とする果樹覆いシート。
【請求項３】
収穫間際の果実を雨害、鳥害から守るために列状に栽培された果樹群をひとまとめにして内側に配設して覆うと共に、収穫間際の果実を虫害から守るために地表面とシートの間に隙間を有しないようにシートの左右両端部所定横幅分が接地し地表面を覆って１列の果樹群全体を被覆可能な大きさを有する果樹覆いシートにおいて、
天井シート部を中心とし、左右両側に空気導入シート部を区画配設され、
前記天井シート部及び前記空気導入シート部は夫々所定横幅を有し前後方向に延びる同幅帯状に形成され、
前記天井シート部は１列の果樹群の頂部を被覆可能な所定横幅を有した通気性及び雨除け機能を具備するシートよりなり、
前記空気導入シート部は通水性及び前記天井シート部よりは高通気性機能を具備するシートよりなり、１列の果樹群に果樹覆いシートを被覆取着した場合に果実の生っている部分に対応する位置からシートの左右両端縁に亘り配設され、果実の生っている範囲には前記天井シート部から連続する開閉シートが前記空気導入シート上面を被覆可能に設けられ、前記開閉シートは通気性及び雨除け機能を具備するシートよりなり、
前記空気導入シート部のうち前記開閉シートで被覆されていない部分から果樹覆いシートの内側に入り込み上昇した空気が、前記空気導入シート部の内側から開閉シートを開き、外部に排気されるようにしたことを特徴とする果樹覆いシート。
【請求項４】
上記請求項１、２又は３の何れかに記載の果樹覆いシートと、アンカー杭と、ワイヤーロープ、ブレーカーロープ、Ｓ状フック及びロープとよりなる果樹覆いシートを具備した果樹栽培用簡易ハウスであって、
地面に於いて１列の果樹群を囲む位置に沿って、アンカー杭を所定間隔離隔すると共にアンカー杭の頭部を地表面から突出させて設け、
前記アンカー杭の頭部間にはワイヤーロープが張設され、前記１列の果樹群を囲む位置に対応する地表面上にワイヤーロープで枠が設けられ、該枠には前後果樹間に於ける左右対向する位置に下側Ｓ状フックが夫々取り付けられ、
前記果樹覆いシートの天井シート部の左右両端縁には長さ方向に所定距離離隔して上側Ｓ状フックが取り付けられ、
前記ロープは、１列の果樹群の長さ方向に沿って前記ワイヤーロープ、前記アンカー杭、前記上側Ｓ状フックにジグザグに架け渡して側視トラス状に取り付けられ、
前記左右側方の側視トラス状に張設されたロープの外側には前記天井シート部の左右両側方に連設されるシート部を垂下し、１列の果樹群の左右側方を夫々前記ロープを介在して覆い、前記シート部の左右側端縁は地表面に重合当接し、
天井シート部の左右側方に連設されたシート部の前端部と後端部は、１列の果樹群の前方と後方に於いて夫々打ち合わせて１列の果樹群の前方と後方を夫々被覆閉塞し、
前記空気導入シート部が強風により捲れ上がり鳥が侵入することを防止するために、１列の果樹群のうち前後果樹間には左右対となる下側Ｓ状フック間にブレーカーロープを架け渡したことを特徴とする果樹覆いシートを具備した果樹栽培用簡易ハウス。
【発明の詳細な説明】
【技術分野】
【０００１】  本願発明は、柑橘類、桃、梨、林檎等の列状に栽培された果樹、その他の各種果樹の露地栽培において、果実に雨が降り掛かることなく通気性を良好にして内部温度の異常な上昇を回避すると共に、強風によりハウスが破損することのない安定的に果樹を覆うことが可能な果樹覆いシート及び果樹覆いシートを具備した果樹栽培用簡易ハウスに関するものである。
【背景技術】
【０００２】  従来、温州みかん、伊予柑、不知火、清見タンゴール、タロッコ等の柑橘栽培において雨害、虫害、鳥獣害、褪色等の防止、成長促進、糖度調整等のためにハウス栽培が行われている。この種のハウスは特許文献１〜３に示すような柱や梁及び屋根を有する一定形状のものを使用することが一般的である。特許文献１〜３に記載されているハウスは、柱を必要とし組立及び解体作業に手間を要し、高コスト化により果樹生産業者の経営を圧迫しているという問題点があった。そこで本願発明者は１枚のシートを幅方向中央部は通気性及び雨除け機能を有する透明な網状シートとし、両側部は中央部の網状シートよりは通気性があり且つ遮光性を有する網状シートとし、横幅方向中央部と両側部を機能別に区分けした果樹覆いシートを用いて果樹群の側方に側視トラス状にロープを張設し、前後方も打ち合わせて１枚のシートで果樹群を内側にひとまとめにして配設するようにした果樹簡易ハウスを発明し、特願２００９−２８２１７４号として特許出願した。
特願２００９−２８２１７４号に開示の発明は、上部に中心部に窪み部を具備した突起（通称：デコ）を有する不知火に用いた場合、側面シート部から雨水が果実に直接降り掛かり果実の突起の窪み部（デコの窪み部）に雨水が貯留する。不知火は、突起の窪み部の中心に枝との接続部を有して果実が枝にぶら下がっているという構造であり、突起窪み部への雨水の貯留により枝と果実との接続部強度が短期に著しく低下し、収穫間際の果実が落下し、商品化できないという問題点があった。特に、晩柑類は収穫時期の２月が雨量の多い時期となるため被害は大きい。
【特許文献１】特開２００９−１４４３６８号公報
【特許文献２】特開２００３−９６７４号公報
【特許文献３】実開平６−８６４４１号公報
【発明の開示】
【発明が解決しようとする課題】
【０００３】  本願発明は上記従来技術の有する問題点に鑑みて創案されたものであって、天井シート部と果実の生る範囲には通気性及び雨除け機能を有するシートを用いて果実への降雨を回避し、果実の生らない下部から地表面の所定位置に亘る範囲には高通気性及び通水性を具備するシートを用い、前記果実の生る範囲に設けた通気性及び雨除け機能を有するシートの上部には排気機能を持たせるために窓シート部を設け、該窓シート部からの降雨の通過を回避すると共に下部から入り込み地表面で反射して進路が上向きになった空気の逃げ道を設けるために雨除け機能を有する開閉シートを窓シート部に被覆自在に取り付けた果樹覆いシート及び果樹覆いシートを具備した果樹栽培用簡易ハウスを提供することを目的とする。
【課題を解決するための手段】
【０００４】  請求項１に記載の発明は、収穫間際の果実を雨害、鳥害から守るために列状に栽培された果樹群をひとまとめにして内側に配設して覆うと共に、収穫間際の果実を虫害から守るために地表面とシートの間に隙間を有しないようにシートの左右両端部所定横幅分が接地し地表面を覆って１列の果樹群全体を被覆可能な大きさを有する果樹覆いシートにおいて、天井シート部を中心とし、左右両側には開閉シートを具備した窓シート部と、雨除けシート部と、空気導入シート部を略左右対称に区画配設され、天井シート部、窓シート部、雨除けシート部及び空気導入シート部は夫々所定横幅を有し前後方向に延びる同幅帯状に形成され、天井シート部は１列の果樹群の頂部を被覆可能な所定横幅を有した通気性及び雨除け機能を具備するシートよりなり、窓シート部は通水性及び天井シート部よりは高通気性機能を具備するシートよりなり、１列の果樹群に果樹覆いシートを被覆取着した場合に果樹の上部左右側方に位置するよう設けられ、窓シート部の天井シート部側から窓シート部全面を被覆可能に天井シート部の左右両端縁に開閉シートを取り付け、該開閉シートは通気性及び雨除け機能を具備するシートよりなり、雨除けシート部は通気性及び雨除け機能を具備するシートよりなり、１列の果樹群に果樹覆いシートを被覆取着した場合に果樹側方に於いて果実の生っている範囲を覆うことが可能な横幅を有し、空気導入シート部は通水性及び前記天井シート部よりは高通気性機能を具備するシートよりなり、１列の果樹群に果樹覆いシートを被覆取着した場合に果実の生っていない部分に対応する位置からシートの左右両端縁に亘り配設され、空気導入シート部から果樹覆いシートの内側に入り込み暖められ上昇した空気が、シート部の内側から開閉シートを開き、窓シート部から外部に排気されるようにしたことを特徴とする。
請求項２に記載の発明は、収穫間際の果実を雨害、鳥害から守るために列状に栽培された果樹群をひとまとめにして内側に配設して覆うと共に、収穫間際の果実を虫害から守るために地表面とシートの間に隙間を有しないようにシートの左右両端部所定横幅分が接地し地表面を覆って１列の果樹群全体を被覆可能な大きさを有する果樹覆いシートにおいて、天井シート部を中心とし、左右両側には雨除けシート部と、空気導入シート部を略左右対称に区画配設され、天井シート部、雨除けシート部及び空気導入シート部は夫々所定横幅を有し前後方向に延びる同幅帯状に形成され、天井シート部は１列の果樹群の頂部を被覆可能な所定横幅を有した通気性及び雨除け機能を具備するシートよりなり、雨除けシート部は通気性及び雨除け機能を具備するシートよりなり、１列の果樹群に果樹覆いシートを被覆取着した場合に果樹の側方に於いて果実の生っている範囲を覆うことが可能な横幅を有し、雨除けシート部のうち天井シート部側には通水性及び天井シート部よりは高通気性機能を具備する窓シート部が前後方向に所定間隔離隔して設けられ、窓シート部の天井シート部側から窓シート部全面を被覆可能に天井シート部の左右両端縁に開閉シートが取り付けられ、該開閉シートは通気性及び雨除け機能を具備するシートよりなり、空気導入シート部は通水性及び天井シート部よりは高通気性機能を具備するシートよりなり、１列の果樹群に果樹覆いシートを被覆取着した場合に果実の生っていない部分に対応する位置からシートの左右両端縁に亘り配設され、空気導入シート部から果樹覆いシートの内側に入り込み暖められ上昇した空気が、窓シート部の内側から開閉シートを開き、窓シート部から外部に排気されるようにしたことを特徴とする。
請求項３に記載の発明は、収穫間際の果実を雨害、鳥害から守るために列状に栽培された果樹群をひとまとめにして内側に配設して覆うと共に、収穫間際の果実を虫害から守るために地表面とシートの間に隙間を有しないようにシートの左右両端部所定横幅分が接地し地表面を覆って１列の果樹群全体を被覆可能な大きさを有する果樹覆いシートにおいて、天井シート部を中心とし、左右両側に空気導入シート部を区画配設され、天井シート部及び空気導入シート部は夫々所定横幅を有し前後方向に延びる同幅帯状に形成され、天井シート部は１列の果樹群の頂部を被覆可能な所定横幅を有した通気性及び雨除け機能を具備するシートよりなり、空気導入シート部は通水性及び前記天井シート部よりは高通気性機能を具備するシートよりなり、１列の果樹群に果樹覆いシートを被覆取着した場合に果実の生っている部分に対応する位置からシートの左右両端縁に亘り配設され、果実の生っている範囲には天井シート部から連続する開閉シートが空気導入シート上面を被覆可能に設けられ、開閉シートは通気性及び雨除け機能を具備するシートよりなり、空気導入シート部のうち前記開閉シートで被覆されていない部分から果樹覆いシートの内側に入り込み暖められ上昇した空気が、空気導入シート部の内側から開閉シートを開き、外部に排気されるようにしたことを特徴とする。
請求項４に記載の発明は、上記請求項１、２又は３の何れかに記載の果樹覆いシートと、アンカー杭と、ワイヤーロープ、ブレーカーロープ、Ｓ状フック及びロープとよりなる果樹覆いシートを具備した果樹栽培用簡易ハウスであって、地面に於いて１列の果樹群を囲む位置に沿ってアンカー杭を所定間隔離隔すると共にアンカー杭の頭部を地表面から突出させて設け、アンカー杭の頭部間にはワイヤーロープが張設され、１列の果樹群を囲む位置に対応する地表面上にワイヤーロープで枠が設けられ、該枠には前後果樹間に於ける左右対向する位置に下側Ｓ状フックが夫々取り付けられ、果樹覆いシートの天井シート部の左右両端縁には長さ方向に所定距離離隔して上側Ｓ状フックが取り付けられ、ロープは、１列の果樹群の長さ方向に沿ってワイヤーロープ、アンカー杭、上側Ｓ状フックにジグザグに架け渡して側視トラス状に取り付けられ、左右側方の側視トラス状に張設されたロープの外側には天井シート部の左右両側方に連設されるシート部を垂下し、１列の果樹群の左右側方を夫々ロープを介在して覆い、シート部の左右側端縁は地表面に重合当接し、天井シート部の左右側方に連設されたシート部の前端部と後端部は、１列の果樹群の前方と後方に於いて夫々打ち合わせて１列の果樹群の前方と後方を夫々被覆閉塞し、空気導入シート部が強風により捲れ上がり鳥が侵入することを防止するために、１列の果樹群のうち前後果樹間には左右対となる下側Ｓ状フック間にブレーカーロープを架け渡したことを特徴とする。
【発明の効果】
【０００５】  本願発明は、１枚のシートとロープ及びフック等、部品点数が少なく、極めて簡単な作業で側面を有する果樹栽培用簡易ハウスを組立可能であるため、低コスト化及びハウスの軽量化が可能であるという効果がある。又、１枚のシートで列状果樹群の周囲の地表面から列状果樹群全体をひとまとめにして包み込むように被覆するので、ハウスの組立及び取り外し作業が極めて簡便で作業性が向上し、収穫済みの果樹群から取り外した果樹栽培用簡易ハウスの部品を収穫期が近付いた果樹に再構築して再利用に供することが可能で経済性を有するという効果がある。
開閉シートを通水性機能を有する窓シート部の上面に重合して閉窓したり、窓シート部から離隔することで開窓する構成であるので、降雨の際には雨水の下方向への力の作用で開閉シートは窓シート部に重合して閉じ、果実へ雨水を降りかからすことがないという効果がある。
強風により、シート下部の通水性及び高通気性機能を有するシート配設範囲から果樹栽培用簡易ハウス内に吹き込み、地表面に衝突し反射して運動方向が上向きになった空気（風）は、その風力により開閉シートを窓シート部外面から離し、窓シート部から排気されるので、強風で果樹栽培用簡易ハウスが吹き飛ばされたり破損することが生じないという効果がある。
【発明を実施するための最良の形態】
【０００６】  １枚のシートを天井シート部を中心に左右側方に機能の異なるシート部を帯状に区画配設し、天井シート部と果実の生る範囲には降雨を回避するために通気性及び雨除け機能を有するシートを用い、果実の生らない下部から地表面に亘る範囲には高通気性及び通水性を具備するシートを用い、果実の生る範囲に設けたシート部の上部には風の逃げ道として排気機能を持たせるために通水性機能を有するシート部に雨除け機能を具備する開閉シートを備えることで、降雨時に果実に雨が掛からず果実が落下しないことを実現した。又、シート下部から入り込み地表面で反射してハウス内で空気の運動の向きが斜め上方向になった風の逃げ道を窓シート部とすることで、強風時には風力により開窓し、平常時には閉窓して果実に降雨しないようにし、強風によっても吹き飛ばされることなく果樹栽培用簡易ハウスが安定的に設置されることを実現した。
【実施例１】
【０００７】  図１〜図９に示される実施例１について説明する。
果樹覆いシート１は、所定横幅を有し前後方向に長い帯状の天井シート部２を中心とし天井シート部２の左右側方に、開閉シート３、３を具備した幅狭な帯状の窓シート部４、４、帯状の雨除けシート部５、５、帯状の空気導入シート部６、６を左右対称になるように横方向に一体的に連設し、１列の果樹群を包み込み可能な面積を有する平視矩形状を呈するように形成されている。天井シート部２、窓シート部４、雨除けシート部５及び空気導入シート部６は前後方向長さが同一長に設定されている。詳しくは、天井シート部２を中心として天井シート部２の左右外側端縁に開閉シート３、３を具備した窓シート部４、４を、窓シート部４、４の外側端縁には雨除けシート部５、５を、雨除けシート部５、５の外側端縁には空気導入シート部６、６を順次連設し、天井シート部２の横幅方向中心線を中心とし左右対称に窓シート部４、雨除けシート部５及び空気導入シート部６を配設して１枚の矩形状果樹覆いシート１を形成し、１列の果樹群を内側にして包み込んだ場合、左右両側縁部が少なくとも３０ｃｍ以上は地面に這わせていることが鳥の侵入防止の観点より好適である。天井シート部２、開閉シート３、窓シート部４、雨除けシート部５及び空気導入シート部６を一体的に連設する手段は、縫着若しくは熱融着等の何れの手段を用いてもよい。【０００８】  果樹覆いシート１の横方向中央部に配設される天井シート部２は、果樹７の平面から視た枝葉を含む直径よりも僅かに長い横幅を有し、１列の果樹群のうち最前位置の果樹７と最後位置の果樹７の前後地表面を被覆する長さを有する帯状に形成されている。天井シート部２は、通気性及び雨除け機能を有する必要がある。天井シート部２に雨除け機能を必要とするのは、不知火等の果樹は、枝と果実の接続部である頭頂窪み部に雨水が溜まると、接続部の接続強度が低下し、果実が落下して収穫できなくなるため、果実への降雨を回避する必要性があるという理由による。図２に示すように、天井シート部２は耐水性、耐薬品性、高耐久性を有する透明なポリエチレン等の合成樹脂製の扁平テープ状ヤーンを経糸８と緯糸９に使用し、経糸８と緯糸９を交錯させて平織りを織成し、経糸８と緯糸９の交差部を熱溶着したものを使用することが、通気性及び雨除け機能を発揮する観点より好適である。具体的には、横幅が３〜１５ｍｍ程度のテープ状ヤーンを使用し隣り合う糸間隔を０．５〜５．０ｍｍ程度にした平織りに織成されたものの交差部を熱溶着することが考えられる。合成樹脂製の扁平なテープ状ヤーンよりなる経糸８と緯糸９の交差部は熱溶着しないものであってもよい。交差部を熱溶着しないものについては、横幅が１〜１０ｍｍ程度の糸を使用し、糸間隔を０．１〜３．０ｍｍ程度の高密度の平織りに織成したもの使用するとよい。天井シート部２は熱溶着して全体としてフィルム化したものの方が、果樹群に果樹覆いシート１を被覆作業中に天井シート部２の織目が部分的に拡開したりすることが無く、形状保持能力が高いため取り扱い易く、果樹群への被覆作業性が良好で、且つ通気性及び雨除け機能の双方を有するため好適である。天井シート部２は合成樹脂製の扁平なテープ状ヤーンを平織りしたシートに限定するものではなく、通気性���び雨除け機能を有するものであれば足り、使用する果樹７に応じて着色をしたものであってもよい。【０００９】  窓シート部４は通水性及び前記天井シート部２よりは通気性の高いこと必要とし、用途に応じた形状のネットよりなる。窓シート部４は、主としてポリエチレン等の耐薬品性及び高耐久性を有する材料を用いてなり、ネットの形状、材料及び網目の目合は用途により適宜異なる。窓シート部４に用いるネットとしては、図３に示すように、経方向に連続する鎖編みの編目列１０に挿入糸１１として架け渡して経編した網状編地を用いる。窓シート部４の通気性の調整は、編目列１０、１０間に架け渡し隣り合う挿入糸１１、１１間の密度を調整することや、編地の形状を変化させることで行う。窓シート部４の遮光性の調整は、向かい合う編目列１０、１０間に架け渡し隣り合う挿入糸１１、１１間の密度の調整や挿入糸１１として使用するヤーンの着色を調整することで行う。窓シート部４に遮光性及び遮熱性を有させるには、網状編み地に使用するヤーンの色を灰色、白色或はアルミ蒸着加工等により表面を銀色にしたり、或は挿入糸１１、１１の間の隙間の大小の調整により行う。【００１０】  開閉シート３は通気性及び雨除け機能を具備した材質のシートよりなり、窓シート部４の全面を被覆可能に設けている。開閉シート３は、閉状態では開閉シート３の外端縁が、窓シート部４の左右外端縁よりも左右外側方に位置して窓シート部４の表面全面を被覆可能に、横幅が窓シート部４よりも開閉シート３の方が広く形成されている。実施例１では、図１に示すように、窓シート部４の表面側のうち天井シート部２側の端縁部を、天井シート部２の裏面側に重合し、この重合部に天井シート部２の前後端縁と９０度の角度を有して左右方向に僅かばかり離隔し前後方向に延びる互いに平行な位置関係の２条の接着部１２、１２を設け、２条の接着部１２、１２間をロープ挿通部１３と成している。図４に示すように、実施例１では接着部１２は、窓シート部４と天井シート部２を接着剤１４を使用して一体的に接着しているが、本願発明は接着手段に接着剤１４を用いることに限定しない。ヒートシール等の手段により窓シート部４と天井シート部２を連設することも本願発明に包含される。天井シート部２を構成するシートは、天井シート部２の左右両側端縁から左右外側方に連続的に延設し、ロープ挿通部１３よりも外側方部分を開閉シート３と成している。ロープ挿通部１３にはＳ状フック取付用ロープ１５が挿通取着されている。【００１１】  雨除けシート部５は果樹７の果実の生っている範囲を覆うことが可能な横幅を有して、窓シート部４、４の左右外端縁に連続的に設けられている。雨除けシート部５は、天井シート部２と同様に通気性及び雨除け機能を具備した材質よりなり、例えば耐水性、耐薬品性、高耐久性を有する透明なポリエチレン等の合成樹脂製の扁平テープ状ヤーンを、図２に示すように経糸８と緯糸９に使用し、経糸８と緯糸９を交錯させて平織りを織成し、経糸８と緯糸９の交差部を熱溶着したものを使用することが、通気性及び雨除け機能を発揮する観点より好適である。【００１２】  空気導入シート部６は、１列の果樹群に使用した場合、果実の生っていない果樹７��下部から接地部に約３０ｃｍを加えた長さの横幅を有して果樹覆いシート１の最外側部に配設されている。空気導入シート部６は、通水性及び天井シート部２よりは通気性の高いシートよりなり、主としてポリエチレン等の耐薬品性及び高耐久性を有する材料を用いてなり通水性を有する目合いのネットよりなる。例えば、図３に示すように、経方向に連続する鎖編みの編目列１０に挿入糸１１として架け渡して経編した網状編地を用いる。空気導入シート部６の通気性の調整は、編目列１０、１０間に架け渡し隣り合う挿入糸１１、１１間の密度を調整することや、編地の形状を変化させることで行う。【００１３】  次に、果樹覆いシートを具備した果樹栽培用簡易ハウスについて説明する。
１列の果樹群の左右側方地面には、果樹列方向に沿って所定間隔離隔し、且つアンカー杭１６の頭部を地表面から５ｃｍ程度浮かせて地中に打ち込まれている。ワイヤーロープ１７のアンカー杭１６頭部への係脱作業を簡便に行うためである。隣り合うアンカー杭１６の頭部には、ワイヤーロープ１７が順次巻着されて連結張設され、１列の果樹群の周囲を囲むように地表面上にワイヤーロープ１７で枠を形成している。Ｓ状フック取付用ロープ１５には長さ方向に沿って所定間隔離隔して上側Ｓ状フック１８が着脱可能に吊設されている。上側Ｓ状フック１８は、図４及び図５に示すように、１本のワイヤの両端から同一位置で互いに相反する方向に彎曲され、該彎曲部がフックとしての作用をなすように形成されている。
図６に示すように、天井シート部２のロープ挿通部１３を折目とし、天井シート部２の左右両側方のシート部を天井シート部２の上面に折り畳み、この折り畳んだ果樹覆いシート１を、１列の果樹群の頭頂部に天井シート部２の裏面が当接するように載置する。ロープ１９の両端は、１列の果樹群の最前部に位置するアンカー杭１６と最後部に位置するアンカー杭１６に夫々巻着され、ロープ１９の中途部分は上側Ｓ状フック１８とワイヤーロープ１７との間に掛けられて、側視が上下にジグザグのトラス状を呈するようにしている。窓シート部４、雨除けシート部５及び空気導入シート部６は、側視トラス状に架け渡されたロープ１９を介在して１列の果樹群の左右側方へ垂下し、窓シート部４、雨除けシート部５及び空気導入シート部６で側視トラス状に架け渡されたロープ１９の外側を覆う。空気導入シート部６の左右両端部は、ワイヤーロープ１７に留め具２０で取り付ける。空気導入シート部６の左右両端部は、地表面と当接した位置から３０ｃｍ程度以上の長さ分が地面を這っていることが好適である。空気導入シート部６の左右両端部の接地長さが３０ｃｍ程度以上であれば、害鳥や害獣或は害虫が空気導入シート部６と地表面との間から果樹栽培用簡易ハウス内に侵入不可能なためである。
１列の果樹群の前後方に於いては、雨除けシート部５及び空気導入シート部６の対向端部を夫々打ち合わせて重合し、該重合部を留め具２０で夫々留めることで１列の果樹群の前方及び後方を被覆閉塞している。
又、ワイヤーロープ１７よりなる枠には、１列の果樹群のうち前後果樹７、７間に対応する左右対向する位置に下側Ｓ状フック２１の一端を取り付ける。下側Ｓ状フック２１の他端は、ネット製空気導入シート部６の編目を貫通させ、空気導入シート部６の下面側から上面側に引き出される。引き出された下側Ｓ状フック２１の対向他端間には１列の果樹群のうち前後果樹７、７間に於いてブレーカーロープ２２を架け渡して果樹覆いシート１を上方から押え、果樹栽培用簡易ハウスが強風によっても吹き飛ばないようにする。【００１４】  上記構成の果樹覆いシート１を具備した果樹栽培用簡易ハウスは、１列の果樹群の上方を雨除け機能を有する天井シート部２で覆い、側方を雨除け機能を具備する雨除けシート部５及び空気導入シート部６とで覆い、雨除けシート部５の天井シート部２側には開閉シート３を具備した窓シート部４を設けている。そのため、雨は天井シート部２から開閉シート３、雨除けシート部５を伝って流れ、空気導入シート部６の編目より地面に落下し、果樹７へは直接雨水が掛からない。果樹７の根元近傍の地中の水分供給量は少なく、果実が高糖度となり美味で果実が大玉にならず美観を呈し、且つ、果実が激しい降雨や雹等により落下したり表皮に傷を形成する事態が生じないという効果がある。特に、不知火等の晩柑類は降雨量が多くなる２月以降が収穫期であるので、本願果樹栽培用簡易ハウスを使用すると、高糖度で無傷の優良な果実が収穫最適時まで落下することなく健康状態で枝にぶら下がっているため上級品を大量収穫可能であるという効果がある。
又、図９に示すように、空気導入シート部６からハウス内に入り込み地面に衝突して反射し斜め上方向に進路を変えた風は、ハウスの内側から開閉シート３を窓シート部４から浮き上らせ窓シート部４より外部へ逃げる。窓シート部４から風を効率よく外部に逃がすため、ハウスが強風により吹き飛ばされたり、破損することがない。加えて、側視トラス状に取り付けられたロープ１９と留め具２０、開閉シート３による窓シート部４の開窓、及びブレーカーロープ２２による果樹覆いシート１の上方からの押さえ込みにより、超強風によっても果樹覆いシートを具備した果樹栽培用簡易ハウスは吹き飛ばされないという効果がある。
果樹覆いシート１を長さ方向に別の果樹覆いシート１を連結していくことて、長い列状果樹群にも使用できる。通常は１つの果樹農園内で数種類の収穫時期の異なる果樹を栽培しているが、収穫期が徒過した果樹群から果樹覆いシート１を取り除き、ワイヤーロープ１７からなる枠のみをそのまま地面に放置し、収穫期に入っていない他の果樹群の周囲に新たに別のワイヤーロープ１７で枠を形成し収穫期が徒過した果樹群から取り除いた使用済みの果樹覆いシート１を再使用することができる。つまり、ワイヤーロープ１７よりなる枠のみを地面に設けていれば、果樹覆いシート１を何度も使用することができる。
【実施例２】
【００１５】  図１０に示される実施例２について説明する。説明を簡単にするために、図１〜図９と同様の作用をなす部分は同一符号を用いて説明する。通気性及び雨除け機能を具備する天井シート部２は、ロープ挿通部１３を介して左右外側方に雨除けシート部２３を連続的に設けている。雨除けシート部２３は天井シート部２の左右両端縁から使用する果樹のうち果実の生っている範囲に亘り覆う横幅を有する前後方向に長い帯状に形成されている。雨除けシート部２３のうち天井シート部２側には所定横幅を有する開口部を、雨除けシート部２３の長さ方向に所定間隔を有して離隔して開設している。これら開口部には通水性及び天井シート部２よりは通気性の高いネット状シートを張設して窓シート部２４を形成している。窓シート部２４に張設するネット状シートは、主としてポリエチレン等の耐薬品性及び高耐久性を有する材料を用いてなり、図３に示すように、経方向に連続する鎖編みの編目列１０に挿入糸１１として架け渡して経編した網状編地を用いることが考えられる。開閉シート３は通気性及び雨除け機能を具備した材質のシートよりなり、窓シート部２４の全面を被覆可能に設けている。開閉シート３は、閉状態では開閉シート３の外端縁が、窓シート部２４の左右外端縁よりも左右外側方に位置して窓シート部２４の表面全面を被覆可能に、窓シート部２４の横幅よりも開閉シート３の横幅の方が長く形成されている。
実施例２の果樹覆いシートを具備した果樹栽培用簡易ハウスは、空気導入シート部６から果樹栽培用簡易ハウス内に入り込み地面に衝突し反射して向きを斜め上方に変化させた風は、窓シート部２４から開閉シート３を離して外部に出、ハウス内に入り込んだ風をスムーズに外部に逃がしてしまうため果樹栽培用簡易ハウスは強風によっても吹き飛ばされない。
【実施例３】
【００１６】  図１１〜図１４に基いて実施例３を説明する。
果樹覆いシート２５の中央部に配設されている天井シート部２６は、果樹７の平面から視た枝葉を含む直径よりも僅かに長い横幅を有する同幅帯状に区画配設されている。天井シート部２６の左右両側には、天井シート部２６と前後方向長さが同一長さで所定横幅を有する同幅帯状の空気導入シート部２７を連設し、全体として平視矩形に形成されている。天井シート部２６は通気性及び雨除け機能を具備したシートよりなり、耐水性、耐薬品性、高耐久性を有する透明なポリエチレン等の合成樹脂製の扁平テープ状ヤーンを経糸と緯糸に使用し、経糸と緯糸を交錯させて平織りを織成し、経糸と緯糸の交差部を熱溶着したものを使用することが通気性及び雨除け機能を発揮する観点より好適である。空気導入シート部２７は、通水性及び天井シート部２６よりは通気性の高いシートよりなり、主としてポリエチレン等の耐薬品性及び高耐久性を有する材料を用いてなり通水性を有する目合いのネットよりなる。天井シート部２６と空気導入シート部２７は縫着やヒートシール等の接着手段により連設されている。空気導入シート部２７の天井シート部２６側に於ける裏面には、Ｓ状フック取付用ロープ２８を取り付けている。Ｓ状フック取付用ロープ２８は、空気導入シート部２７の目合いに挿通することで果樹覆いシート２５に取り付けている。天井シート部２６と空気導入シート部２７の境界部には果樹７の果実の生る範囲を覆う横幅を有する開閉シート２９を両面に粘着剤層を設けたテープ３０を介在させて取り付けている。開閉シート２９、２９は、天井シート部２６や空気導入シート部２７の前後方向長さよりは短い同幅帯状に形成されている。実施例３に示される果樹覆いシート２５の一例として、天井シート部２６の横幅が２７０ｃｍ、空気導入シート部２７、２７の横幅が夫々２５０ｃｍ、開閉シート２９、２９の横幅が夫々８０ｃｍ、左右開閉シート２９、２９の天井シート部２６を跨ぐ外端縁間の直線距離が４３０ｃｍ、天井シート部２６と空気導入シート部２７、２７の前後方向長さが１３０ｃｍ、空気導入シート部２７、２７の前後端縁から開閉シート２９、２９の前後端縁までの直線距離が１５０ｃｍに形成されている。【００１７】  実施例３の果樹覆いシート２５を用いた果樹栽培用簡易ハウスについて説明する。
図１３に示すように、１列の果樹群の左右側方地面には、果樹列方向に沿って所定間隔離隔し、且つアンカー杭１６の頭部を地表面から５ｃｍ程度浮かせて地中に打ち込まれている。ワイヤーロープ１７のアンカー杭１６頭部への係脱作業を簡便に行うためである。隣り合うアンカー杭１６の頭部には、ワイヤーロープ１７が順次巻着されて連結張設され、１列の果樹群の周囲を囲むように地表面上にワイヤーロープ１７で枠を形成している。Ｓ状フック取付用ロープ２８には長さ方向に沿って所定間隔離隔して上側Ｓ状フック１８が着脱可能に吊設されている。天井シート部２６のＳ状フック取付用ロープ２８を折目とし、空気導入シート部２７を天井シート部２６の上面に折り畳み、この折り畳んた果樹覆いシート２５を、１列の果樹群の頭頂部に天井シート部２６の裏面が当接するように載置する。ロープ１９の両端は、１列の果樹群の最前部に位置するアンカー杭１６と最後部に位置するアンカー杭１６に夫々巻着され、ロープ１９の中途部分は上側Ｓ状フック１８とワイヤーロープ１７との間に掛けられて、側視が上下にジクザグのトラス状を呈するようにしている。図１４に示すように、空気導入シート部２７は、側視トラス状に架け渡されたロープ１９を介在して１列の果樹群の左右側方へ垂下し、空気導入シート部２７で側視トラス状に架け渡されたロープ１９の外側を覆う。空気導入シート部２７の左右両端部は、ワイヤーロープ１７に留め具２０で取り付ける。空気導入シート部２７の左右両端部は、地表面と当接した位置から３０ｃｍ程度以上の長さ分が地面を這っていることが好適である。空気導入シート部２７の左右両端部の接地長さが３０ｃｍ程度以上であれば、害鳥や害獣或は害虫が空気導入シート部２７と地表面との間から果樹栽培用簡易ハウス内に侵入不可能なためである。
１列の果樹群の前後方に於いては、空気導入シート部２７の対向端部を夫々打ち合わせて重合し、該重合部を留め具２０で夫々留めることで１列の果樹群の前方及び後方を被覆閉塞している。
ワイヤーロープ１７よりなる枠には、１列の果樹群のうち前後果樹７、７間に対応する左右対向する位置に下側Ｓ状フック２１の一端を取り付ける。下側Ｓ状フック２１の他端は、ネット製空気導入シート部２７の編目を貫通させて空気導入シート部６の下面側から上面側に引き出される。引き出された下側Ｓ状フック２１の対向他端間には１列の果樹群のうち前後果樹７、７間に於いてブレーカーロープ２２を架け渡して果樹覆いシート２５を上方から押え、果樹栽培用簡易ハウスが強風によっても吹き飛ばないようにする。
空気導入シート部２７のうち開閉シート２９で覆われていない範囲から強風がハウス内に入り込むと、風は地面に衝突し反射して斜め上方へ進み、空気導入シート部２７の裏面側から開閉シート２９を外側へ移動させて風を空気導入シート部２７と開閉シート２９との間から逃がす。
【図面の簡単な説明】
【００１８】
【図１】果樹覆いシートの平面図である。（実施例１）
【図２】天井シート部と開閉シートの一例を示す拡大平面図である。（実施例１）
【図３】窓シート部と空気導入シート部の一例を示す拡大平面図である。（実施例１）
【図４】ロープ挿通部に取り付けた上側Ｓ状フック取付用ロープにＳ状フックを吊設し、Ｓ状フックにロープを引っ掛けた状態を示す側面拡大説明図である。（実施例１）
【図５】Ｓ状フック取付用ロープに上側Ｓ状フックを吊設し、上側Ｓ状フックにロープを引っ掛けた状態を示す裏面拡大説明図である。（実施例１）
【図６】３重に折り畳まれた果樹覆いシートを１列の果樹群上に載置し、ロープを側視ジグザグに張設した状態を示す説明図である。（実施例１）
【図７】１列の果樹群に果樹覆いシートを具備した果樹栽培用簡易ハウスを取り付けた使用状態を示す説明斜視図である。（実施例１）
【図８】１列の果樹群に樹覆いシートを具備した果樹栽培用簡易ハウスを取り付けた状態を示す拡大縦断面説明図である。（実施例１）
【図９】強風が果樹栽培用簡易ハウス内に入り込んだ場合の風の軌跡と開閉シートの動作を示す説明図である。（実施例１）
【図１０】果樹覆いシートの平面図である。（実施例２）
【図１１】果樹覆いシートの平面図である。（実施例３）
【図１２】天井シート部と空気導入シート部と開閉シートとの関係を示す構成説明図である。（実施例３）
【図１３】３重に折り畳まれた果樹覆いシートを１列の果樹群上に載置し、ロープを側視ジグザグに張設した状態を示す説明図である。（実施例３）
【図１４】１列の果樹群に果樹覆いシートを具備した果樹栽培用簡易ハウスを取り付けた使用状態を示す説明斜視図である。（実施例３）
【符号の説明】
【００１９】１、２５  果樹覆いシート
２、２６  天井シート部
３、２９  開閉シート
４、２４  窓シート部
５、２３  雨除けシート部
６、２７  空気導入シート部
７  果樹
１６  アンカー杭
１７  ワイヤーロープ
１８  上側Ｓ状フック
１９  ロープ
２１  下側Ｓ状フック
２２  ブレーカーロープ
【図１】
2011229517.tif 000003
【図２】
2011229517.tif 000004
【図３】
2011229517.tif 000005
【図４】
2011229517.tif 000006
【図５】
2011229517.tif 000007
【図６】
2011229517.tif 000008
【図７】
2011229517.tif 000009
【図８】
2011229517.tif 000010
【図９】
2011229517.tif 000011
【図１０】
2011229517.tif 000012
【図１１】
2011229517.tif 000013
【図１２】
2011229517.tif 000014
【図１３】
2011229517.tif 000015
【図１４】
2011229517.tif 000016